(57)【要約】【課題】ユーザが特別な操作をすることなく、映像表示装置外部の映像受信装置で受信（復号処理）可能な放送波を視聴することの可能な映像表示装置および映像表示装置を有する映像表示システムを提供することを課題とする。【解決手段】複数の外部機器と接続されているテレビ１１において、外部機器が接続されるインターフェースと、そのインターフェースに接続された外部機器が映像情報としてテレビ１１に送信可能な放送波とを対応付けて切替テーブルに記憶する。ユーザよりテレビ１１では表示不可能な放送波の表示指示があったとき、テレビ１１は切替テーブルに格納された情報に基づいて、該放送波をテレビ１１に送信可能な外部機器を放送波の受信先に設定する。テレビ１１は設定した外部機器に対して映像情報の送信コマンドを送信し、該送信コマンドに応じて外部機器より送信される該放送波の映像情報を受信し、表示を行う。【選択図】図５
2010239578.tif 000002
【特許請求の範囲】
【請求項１】
受信する放送波の映像を表示する映像表示装置であって、
いずれの放送波の映像を表示するかを示す表示指示を入力するための入力手段と、
前記放送波を受信し表示可能な映像情報として前記映像表示装置に送信する外部機器と通信可能な複数のインターフェースと、
複数の前記インターフェースのそれぞれと、該インターフェースに接続されるそれぞれの前記外部機器が前記映像表示装置に対して送信可能な放送波とが対応付けられた対応情報を記憶する記憶手段と、
前記入力手段によって入力された表示指示に対応する放送波が、前記記憶手段に記憶されている前記放送波と一致するとき、該放送波と対応付けられた前記インターフェースを介して受信した、該インターフェースに接続された前記外部機器が送信する該放送波の映像情報を表示する受信表示手段と
を有することを特徴とする映像表示装置
【請求項２】
前記外部装置が前記映像情報として送信可能な放送波の放送波情報を、該外部機器より取得する取得手段と、
前記取得手段によって取得した放送波情報に基づいて前記対応情報を作成する作成手段と
をさらに有する特徴とする請求項１記載の映像表示装置。
【請求項３】
前記受信表示手段は、
前記記憶手段に記憶されている前記対応情報に基づいて、前記映像情報を受信する受信先の前記インターフェースから受信可能となるように設定する設定手段と、
前記設定手段によって設定される前記インターフェースに接続された前記外部機器に対して、前記放送波の前記映像情報を前記表示装置に対し送信させるコマンドを送信するコマンド送信手段と、
前記外部機器より送信される前記映像情報を受信する受信手段と、
前記受信手段によって受信した前記映像情報の表示を行う表示手段と
から構成されることを特徴とする請求項１または請求項２記載の映像表示装置。
【請求項４】
所定の前記外部機器より前記映像情報の受信を行っているとき、該外部機器より映像情報の送信を中断する旨の通知を受信すると、
前記設定手段は、
前記記憶手段に記憶された前記対応情報に基づいて前記所定の外部機器が接続されたインターフェース以外のインターフェースを前記放送波の映像情報の受信先として使用すること
を特徴とする請求項３記載の映像表示装置。
【請求項５】
受信する放送波の映像を表示する映像表示装置と、放送波を受信可能な複数の映像受信装置とを具備する映像表示システムであって、
前記映像表示装置は、
いずれの放送波の映像を表示するかを示す表示指示を入力するための入力手段と、
前記複数の映像受信装置と通信可能に接続されている第１のインターフェースと、
前記第１のインターフェースと、前記第１のインターフェースに接続されるそれぞれの前記映像受信装置の、該映像表示装置で表示可能な映像情報として該映像表示装置に送信可能な放送波とが対応付けられた対応情報を記憶する記憶手段と、
前記入力手段に表示指示をされる放送波が、前記記憶手段に記憶されている放送波と一致するとき、前記対応情報で前記放送波に対応付けられている映像受信装置に、前記映像情報を前記映像表示装置に対して送信するように、映像送信コマンドを送信する第１のコマンド送信手段とを有し
前記映像受信装置は
前記映像表示装置と通信可能に接続されている第２のインターフェースと、
前記第２のインターフェースを介して前記映像表示装置から前記映像送信コマンドを受信すると、該映像表示装置に対して前記映像情報を送信する送信手段を有し、
前記映像表示手段は、
前記映像受信手段から送信される前記映像情報を受信する受信手段と、
前記受信手段によって受信する前記映像情報を表示する表示手段をさらに有する
ことを特徴とする映像表示システム。
【請求項６】
前記映像表示装置は、
前記映像表示装置に対して表示可能な映像情報として送信できる放送波の情報である送信可能情報を、該映像表示装置に送信するように、前記映像受信装置に情報送信コマンドを送信する第２のコマンド送信手段をさらに有し、
前記映像受信装置は、
前記映像表示装置より前記情報送信コマンドを受信すると、前記送信可能情報を前記映像表示装置に対して送信する第１の情報送信手段をさらに有し、
前記映像表示装置の前記記憶手段は、
前記映像受信装置より前記送信可能情報を受信すると、前記映像受信装置が接続されている前記第１のインターフェースと、前記送信可能情報の前記放送波とを対応付けて、前記対応情報として記憶すること
を特徴とする請求項５記載の映像表示システム。
【請求項７】
前記映像受信装置は、
前記映像表示装置に対する前記映像情報の送信中に、前記映像情報の送信を中断するとき、該映像表示装置に対して該映像情の送信を中断する旨の通知を送信する通知手段をさらに有し、
前記映像表示装置の前記第１のコマンド送信手段は、
前記通知を受信すると、前記対応情報によって前記前記放送波と対応付けられており、前記通知を送ってきた前記映像受信装置以外の映像受信装置に前記映像送信コマンドを送信する
ことを特徴とする請求項６記載の映像表示システム。
【発明の詳細な説明】
【技術分野】
【０００１】
本発明は映像表示装置および映像表示システムに関するものであり、外部の映像受信装置より映像情報を取得する映像表示装置および当該映像表示装置を有する映像表示システムに関する。
【背景技術】
【０００２】
テレビ等の映像表示装置において有料放送、地上デジタル放送、ケーブルテレビ放送等の中にはこれを視聴する場合、例えばB-CASカードのような認証用カードが必要となる番組がある。これらの放送等では放送波にスクランブル処理が施されており、B-CASカードのような認証カードには視聴の際のデスクランブル処理に必要なキー情報が記憶されている。テレビ等の映像表示装置はこのキー情報を用いて受信した放送波をデスクランブル処理し、表示可能な状態とした後の映像を表示する。また認証カードは、認証カードに対応するレコーダ等の映像受信装置に直接挿し込めるようになっており、挿し込まれることでキー情報を取得可能となる。一枚の認証カードは認証カードに対応する様々な機器での放送波の受信を行うために使用することが可能である。
【０００３】
認証カードを用いての放送波の受信を行う映像表示装置が２台であるとき、視聴したい放送波用の認証カードが、使用したい映像表示装置とは別の映像表示装置に挿入されている場合には認証カードを挿し替える必要があり、ユーザにとって不便であった。
【０００４】
そこで通信接続が行われている映像表示装置間においてデスクランブル処理に必要なキー情報の送受信を行うことで、認証カードを挿していない映像表示装置でも放送波を表示可能とさせるコンディショナルアクセスシステムおよびデジタル放送受信機が提案されている（特許文献１を参照）。
【先行技術文献】
【特許文献】
【０００５】
【特許文献１】特開２００８−３５２２２号公報
【発明の概要】
【発明が解決しようとする課題】
【０００６】
認証カードを用いた放送波受信の場合、映像録画の際、テレビ本体ではなくテレビに接続される録画機能を備えたHDDレコーダ、DVDレコーダ等の録画機に認証カードが挿入されていなければならない。しかしテレビでその放送波を視聴する場合、ユーザは録画機の電源を入れ、録画機に受信する放送波を設定し、テレビの入力切替を行うという手順を踏まねばならず、ユーザにとっては面倒なものとなっている。
【０００７】
また近年、テレビは多くの外部映像受信装置と接続可能となっており、多くの外部映像受信装置を接続している場合は、認証カードの必要な放送波を視聴しようとする際に、常にどの機器にどの認証カードが挿入されているかを把握した上で、入力切替を行なわなければならずユーザに負担となる。
【０００８】
本発明は上記問題に鑑みてなされたもので、ユーザが特別な操作をすることなく、映像表示装置外部の映像受信装置で受信（復号処理）可能な放送波を取得することの可能な映像表示装置および映像表示装置を有する映像表示システムを提供することを目的とする。
【課題を解決するための手段】
【０００９】
本発明にかかる映像表示装置は、受信する放送波の映像を表示する映像表示装置であって、いずれの放送波の映像を表示するかを示す表示指示を入力するための入力手段と、前記放送波を受信し表示可能な映像情報として前記映像表示装置に送信する外部機器と通信可能な複数のインターフェースと、複数の前記インターフェースのそれぞれと、該インターフェースに接続されるそれぞれの前記外部機器が前記映像表示装置に対して送信可能な放送波とが対応付けられた対応情報を記憶する記憶手段と、前記入力手段によって入力された表示指示に対応する放送波が、前記記憶手段に記憶されている前記放送波と一致するとき、該放送波と対応付けられた前記インターフェースを介して受信した、該インターフェースに接続された前記外部機器が送信する該放送波の映像情報を表示する受信表示手段とを有することを特徴としている。
【００１０】
また本発明にかかる映像表示システムは、受信する放送波の映像を表示する映像表示装置と、放送波を受信可能な複数の映像受信装置とを具備する映像表示システムであって、  前記映像表示装置は、いずれの放送波の映像を表示するかを示す表示指示を入力するための入力手段と、前記複数の映像受信装置と通信可能に接続されている第１のインターフェースと、記第１のインターフェースと、前記第１のインターフェースに接続されるそれぞれの前記映像受信装置の、該映像表示装置で表示可能な映像情報として該映像表示装置に送信可能な放送波とが対応付けられた対応情報を記憶する記憶手段と、記入力手段に表示指示をされる放送波が、前記記憶手段に記憶されている放送波と一致するとき、前記対応情報で前記放送波に対応付けられている映像受信装置に、前記映像情報を前記映像表示装置に対して送信するように、映像送信コマンドを送信する第１のコマンド送信手段とを有し前記映像受信装置は前記映像表示装置と通信可能に接続されている第２のインターフェースと、前記第２のインターフェースを介して前記映像表示装置から前記映像送信コマンドを受信すると、該映像表示装置に対して前記映像情報を送信する送信手段を有し、前記映像表示手段は、前記映像受信手段から送信される前記映像情報を受信する受信手段と、前記受信手段によって受信する前記映像情報を表示する表示手段をさらに有することを特徴としている。
【発明の効果】
【００１１】
映像表示装置が、映像表示装置に接続されたどの映像受信装置から所定の放送波を取得することが可能であるかの情報を有することで、ユーザが視聴チャンネルの変更操作を行うと所定の放送波の取得を自動的に行うことの可能な映像表示装置および映像表示装置を有する映像表示システムを実現することが可能となる。
【図面の簡単な説明】
【００１２】
【図１】実施形態における映像表示システムの一例を示す図。
【図２】実施形態における映像表示システムの構成およびテレビのハードウェア構成の一例を示すブロック図。
【図３】実施形態における映像情報受信先切替を行う内部構成の一例を示すブロック図。
【図４】実施形態における切替テーブルに格納される情報の一例を示す図。
【図５】実施形態におけるテレビと外部機器との通信の流れの一例を示すシーケンス図。
【図６】実施形態における映像受信を行う外部機器の選択フローの一例を示すフロー図。
【発明を実施するための形態】
【００１３】
本発明の実施の形態の一例を図面を参照しながら説明する。
【００１４】
図１は本実施形態における映像表示システム１０の一例を示す図である。図１には映像表示システム１０、テレビ１１、DVDレコーダ１２、ケーブル受信テレビ１３、およびHDDレコーダ１４が示されている。
【００１５】
映像表示システム１０は受信した放送波等の映像の表示を行う映像表示システムであり、本実施形態において映像表示システム１０は、テレビ１１、DVDレコーダ１２、ケーブル受信テレビ１３、およびHDDレコーダ１４を有している。本実施形態において映像とは画像と音声を含めたものとして説明を行なう。
【００１６】
テレビ１１は映像表示装置であり、放送波の受信や、接続されている外部機器からの映像情報の受信によって映像情報を取得し、ユーザに映像情報を出力する機能を有している。本実施形態においてテレビ１１はDVDレコーダ１２、ケーブル受信テレビ１３、およびHDDレコーダ１４の外部機器と映像情報およびコマンドの送受信可能に接続されている。以後、本実施形態において外部機器とはDVDレコーダ１２、ケーブル受信テレビ１３、およびHDDレコーダ１４を指す。
【００１７】
DVDレコーダ１２は例えばDVD（Digital Versatile Disk）レコーダのような映像録画装置であり、放送波の受信を行い、受信した放送波の映像情報を書き込み可能なDVDに対して書き込むことができる。またDVDに格納された映像情報の読み取りや放送波の受信を行い、接続されるテレビ１１に対してそれらの映像情報を送信する機能を有している。DVDレコーダ１２は例えばB-CASカードのような有料放送の認証カードを有しており、有料放送の放送波の受信を行い、スクランブル処理を施されている受信した有料放送の映像情報に、認証カードに保持されているデスクランブルキーを用いてデスクランブル処理（復号処理）を行い、映像情報にテレビ１１で表示可能な状態への復号処理を施して、テレビ１１に送信することができる。本実施形態においてDVDレコーダ１２は有料放送としてBS放送とCS放送を受信（復号処理）可能であるものとする。
【００１８】
ケーブル受信テレビ１３はケーブルテレビ放送を受信し、ユーザに対して映像情報を出力する機能を有する映像表示装置である。ケーブルテレビ放送の表示においても例えばB-CASカードのような認証カードが必要であり、ケーブル受信テレビ１３には認証カードが挿入されている。またケーブル受信テレビ１３はテレビ１１と通信ケーブルを介して通信可能となっており、テレビ１１に対して、テレビ１１で表示可能な状態での映像情報を送信することができる。
【００１９】
HDDレコーダ１４は例えばHDD（Hard Disk Drive）レコーダのような映像録画装置であり、不揮発性の大容量記憶媒体であるHDDを有する。HDDレコーダ１４は内蔵されたHDDに対して映像情報の書き込み、読み出しが可能である。また、放送波の受信が可能であり、本実施形態においてHDDレコーダ１４はB-CASカードのような有料放送の認証カードを有しているため、有料放送を受信し、デスクランブル（復号）処理を行うことが可能である。HDDレコーダ１４はテレビ１１と接続されており、テレビ１１に対してテレビ１１で表示可能な状態での映像情報の送信を行うことができる。また本実施形態においてHDDレコーダ１４は有料放送としてBS放送とCS放送を受信（復号処理）可能である。さらにHDDレコーダ１４はLAN（Local Area Network）と接続可能なインターフェースを有しており、LANによってテレビ１１およびインターネットとそれぞれ接続されている。HDDレコーダ１４はインターネットを介してネット配信動画も取得することが可能である。
【００２０】
図２は本実施形態における映像表示システム１０の構成およびテレビ１１のハードウェア構成の一例を示すブロック図である。図２には映像表示システム１０、テレビ１１、DVDレコーダ１２、ケーブル受信テレビ１３、HDDレコーダ１４、CPU２０１、メモリ２０２、入力部２０３、チューナ２０４、デコーダ２０５、認証カード２０６、認証カードI/F２０７、LCD２０８、表示制御部２０９、スピーカ２１０、音声制御部２１１、HDMI I/F a２１２、HDMI I/F b２１３、HDMI I/F c２１４、通信I/F２１５、およびバス２１６が示されている。
【００２１】
本実施形態においてテレビ１１はCPU２０１、メモリ２０２、入力部２０３、チューナ２０４、デコーダ２０５、認証カード２０６、認証カードI/F２０７、LCD２０８、表示制御部２０９、スピーカ２１０、音声制御部２１１、HDMI I/F a２１２、HDMI I/F b２１３、HDMI I/F c２１４、通信I/F２１５、およびバス２１６を有している。
【００２２】
CPU２０１は中央演算処理装置（Central Processing Unit）であり、テレビ１１全体を制御している。またプログラムを実行し、実行プログラムに応じた所定の処理を行う機能を有している。
【００２３】
メモリ２０２は半導体メモリによって構成される不揮発性の記憶媒体である。メモリ２０２にはCPU２０１が実行する各種プログラムが格納されている。本実施形態においてメモリ２０２は受信先切替アプリケーションプログラムを有しており、このプログラムを実行することによって映像情報の受信を行う、外部機器と接続されたインターフェースの選択を行う。またメモリ２０２は受信先切替アプリケーションプログラムによって実行される受信先切替アプリケーション実行時に使用される切替テーブルを有している。
【００２４】
入力部２０３はテレビ１１に対してのユーザからの操作指示を電気信号として入力する機能を有する。入力部２０３は例えば、テレビ１１に設置されたユーザ操作ボタンや遠隔操作の可能なリモコンからの操作信号を受信する受信部等が考えられる。ユーザは入力部２０３を介して、テレビ１１に対して視聴するチャンネルの選択指示等が可能である。
【００２５】
チューナ２０４は放送局の送信する放送波を受信する機能を有している。
【００２６】
デコーダ２０５はチューナ２０４で受信した放送波にデコード処理を行い、テレビ１１が画像または音声として出力可能な信号へと変換する機能を有している。
【００２７】
認証カード２０６は例えばB-CASカードのような、所定の放送波のデスクランブル処理に用いられるデスクランブルキーが記録されたカードであり、認証カード２０６を挿入することによってテレビ１１は所定の放送波の映像を復号化し、表示を行うことが可能となる。本実施形態における認証カード２０６は地上デジタル放送の復号処理に用いられるB-CASカードを例に説明する。
【００２８】
認証カードI/F２０７は認証カード２０６に保持されているデスクランブルキーのデータを読み出し、テレビ１１に入力する機能を有している。認証カードI/F２０７は挿入口に認証カード２０６が挿入されることでデータの読み出しが可能となる。
【００２９】
LCD２０８は例えば液晶ディスプレイ（Liquid Crystal Display）であり、テレビ１１における表示装置である。テレビ１１の画像情報をユーザに対して出力する機能を有している。本実施形態ではLCD２０８の一例として液晶ディスプレイを例示しているが、これに限定されるものではなく、他の表示装置としては例えばCRT（Cathode Ray Tube）やPDP（Plasma Display Panel）等が考えられる。
【００３０】
表示制御部２０９はCPU２０１からの描画指示や、デコーダ２０５でデコード処理された画像情報、また外部の機器から入力される映像情報に基づいて、テレビ１１が表示を行う画像の描画を行いLCD２０８に表示させる機能を有している。
【００３１】
スピーカ２１０における音声出力装置であり、テレビ１１の音声情報をユーザに対して出力する機能を有している。
【００３２】
音声制御部２１１はCPU２０１からの指示や、デコーダ２０５でデコード処理された音声情報、また外部の機器から入力される音声情報に基づいて、テレビ１１が出力する音声を生成し、スピーカ２１０に音声を出力させる機能を有している。
【００３３】
HDMI I/F a２１２はHDMI規格の接続モジュールと接続可能なインターフェースであって、HDMI I/F a２１２はDVDレコーダ１２と接続されている。HDMI I/F a２１２はHDMI規格の接続モジュールによって接続される外部機器と画像、音声信号およびコマンドやデータの送受信を行うことが可能である。
【００３４】
HDMI I/F b２１３はHDMI規格の接続モジュールと接続可能なインターフェースであって、HDMI I/F b２１３はケーブル受信テレビ１３と接続されている。HDMI I/F b２１３はHDMI規格の接続モジュールによって接続される外部機器と画像、音声信号およびコマンやデータの送受信を行うことが可能である。
【００３５】
HDMI I/F c２１４はHDMI規格の接続モジュールと接続可能なインターフェースであって、HDMI I/F c２１４はHDDレコーダ１４と接続されている。HDMI I/F c２１４はHDMI規格の接続モジュールによって接続される外部機器と画像、音声信号およびコマンドやデータの送受信を行うことが可能である。
【００３６】
通信I/F２１５は例えばLAN I/Fであり、本実施形態においては外部のLANケーブルと接続可能なインターフェースである。LANケーブルを介して外部機器との通信、情報の送受信を行うことが可能である。本実施形態において通信I/F２１５はLANケーブルを介してHDDレコーダ１４と接続されている。
【００３７】
バス２１６はテレビ１１内の接続された各モジュールを通信可能としている。
【００３８】
図３は本実施形態における映像情報受信先切替を行う内部構成の一例を示すブロック図である。図３にはメモリ２０２、入力部２０３、LCD２０８、表示制御部２０９、スピーカ２１０、音声制御部２１１、HDMI I/F a２１２、HDMI I/F b２１３、HDMI I/F c２１４、通信I/F２１５、受信先切替アプリケーション３１、通信部３２、受信認識部３３、チャンネル認識部３４、映像送信部３５、および切替テーブル３６が示されている。
【００３９】
受信先切替アプリケーション３１は、メモリ２０２に格納されている受信先切替アプリケーションプログラムをCPU２０１が実行するときのアプリケーションであり、受信先切替アプリケーション３１によってテレビ１１はHDMI I/F a２１２、HDMI I/F b２１３、HDMI I/F c２１４、通信I/F２１５の内のどのインターフェースより映像の受信を行うか決定し、決定された外部機器より映像情報を受信し、表示を行なわせることができる。
【００４０】
通信部３２はHDMI I/F a２１２、HDMI I/F b２１３、HDMI I/F c２１４、および通信I/F２１５と各種データおよびコマンドの送受信を行う機能を有している。
【００４１】
受信認識部３３は通信部３２を介して外部機器と通信を行い、それぞれの外部機器における、テレビ１１が出力可能な状態での映像情報を送信可能な放送波の情報を取得し、メモリ２０２の切替テーブル３６に取得した情報を格納する機能を有している。
【００４２】
チャンネル認識部３４はユーザがリモコン等で選択した、入力部２０３より入力されるチャンネル選択情報を取得し、選択されたチャンネルに対応する放送波の映像情報を受信するインターフェースの設定を行う機能を有している。テレビ１１では放送波とチャンネルとの組み合わせが設定してあり、ユーザが所定のチャンネルを選択すると設定によって該チャンネルに対応付けられた放送波の映像出力を行う。テレビ１１はテレビ１１単独では出力不可能な有料放送等の放送波に関しても対応するチャンネルの設定はなされており、外部機器との接続を行わない状態でテレビ１１が単独で出力不可能な放送波に対応するチャンネルに切り替えられるとその放送波の表示は行なわれない。しかし本実施形態におけるテレビ１１では、チャンネル設定されているが、復号処理不可能な放送波がユーザから表示を行うよう選択されると、その放送波の映像を取得可能な外部機器より受信し、映像の出力を行うことが可能である。チャンネル認識部３４はテレビ１１で復号処理不可能な放送波に対応するチャンネルが選択されたとき、切替テーブル３６に格納されている情報を用いて、放送波の映像情報を受信するインターフェースを設定し、通信部３２を介して設定されたインターフェースと接続されている外部機器に対して、映像情報の送信指示を行う機能を有している。
【００４３】
映像送信部３５は通信部３２を介して外部機器より入力される映像情報を表示制御部２０９および音声制御部２１１に対し転送する機能および選択されたチャンネルに対応する放送波の出力を行うことができないときに、選択されたチャンネルの放送波は視聴できない旨の通知を表示制御部２０９に行なわせる機能を有している。
【００４４】
図４は本実施形態における切替テーブル３６に格納される情報の一例を示す図である。
【００４５】
本実施形態における切替テーブル３６には図４のようにHDMI I/F a２１２、HDMI I/F b２１３、HDMI I/F c２１４、および通信I/F２１５と、それぞれのインターフェースから受信可能な映像情報とが対応付けられて格納されている。本実施形態で外部機器より入力を行う放送波のカテゴリとしては図示のようにBS放送、CS放送、ケーブルテレビ放送、ネット配信動画を例示しているがこれに限定されるものではなく、例えば放送波の放送チャンネル毎にカテゴリ分けを行う等のようなカテゴリの分け方も考えられ、カテゴリの分け方および受信可能な放送波の例としては他にも様々なものが考えられる。また、それぞれのインターフェースと放送波を対応付けるのでは無く、例えばそれぞれの外部機器と放送波とを対応付けて記憶してもよい。
【００４６】
例えばDVDレコーダ１２ではBS放送およびCS放送を受信（復号処理）可能であるので、テレビ１１はDVDレコーダ１２とHDMIケーブルによって接続されているHDMI I/F a２１２からBS放送およびCS放送の映像情報を受信することが可能である。
【００４７】
またHDDレコーダ１４ではBS放送、CS放送およびネット配信動画を受信（復号処理）可能であるので、テレビ１１はHDDレコーダ１４とHDMIケーブルによって接続されているHDMI I/F c２１４からBS放送およびCS放送の映像情報を、LANによって接続されている通信I/F２１５からネット配信動画を受信することが可能である。
【００４８】
本実施形態において受信認識部３３はテレビ１１起動時に通信部３２およびHDMI I/F a２１２、HDMI I/F b２１３、HDMI I/F c２１４、および通信I/F２１５のそれぞれのインターフェースを介しそれぞれの外部機器に対して、表示可能な状態でのテレビ１１への映像情報の送信が可能な放送波の情報をテレビ１１に対して送信するようコマンドを送り、返ってきた放送波の情報に応じて切替テーブル３６を作成する。本実施形態において受信認識部３３が切替テーブル３６を作成するための上記情報を取得するタイミングとしてテレビ１１の起動時を例示したがこれに限定されるものではなく、例えばそれぞれの外部機器のインターフェースへの接続が行われたタイミングで、情報の取得を行ってもよい。メモリ２０２は不揮発性の記憶媒体であるためテレビ１１の電源を切ったとしても情報は保持されるので接続時に情報の取得を行ったときは、電源オフ時に接続されている外部機器の変更が無いときはテレビ１１起動時に情報の取得を行う必要はない。
【００４９】
図５は本実施形態におけるテレビ１１と外部機器との通信の流れの一例を示すシーケンス図である。
【００５０】
まずテレビ１１が起動すると（S５１０）、受信先切替アプリケーション３１における受信認識部３３は通信部３２およびHDMI I/F a２１２、HDMI I/F b２１３、HDMI I/F c２１４、通信I/F２１５のそれぞれのインターフェースを介してそれぞれの外部機器に対し、テレビ１１で出力可能な状態での映像情報の送信が可能な放送波の情報を、テレビ１１に対して送信するようコマンドを送信する（S５０２）。外部機器はコマンドを受信し（S５０３）、該コマンドに応じ、送信可能な放送波の情報をテレビ１１に対して送信する（S５０４）。テレビ１１はその情報を受信し（S５０５）、受信した情報に基づいて切替テーブル３６を作成する（S５０６）。
【００５１】
次にユーザがテレビ１１単体では表示不可能な放送波に対応付けられた所定のチャンネルを選択すると、チャンネル認識部３４は該所定のチャンネルの選択を検知し（S５０７）、所定のチャンネルに対応した放送波の映像情報をテレビ１１に対して送信可能なインターフェースを選択し（S５０８）、選択したインターフェースに接続されている外部機器に対して通信部３２を介して、その放送波の映像情報をテレビ１１に対して送信するようコマンドを送信する（S５０９）。外部装置はコマンドを受信すると（S５１０）、コマンドに応じて、放送波を受信し、復号処理を行って（S５１１）、復号処理行った後の映像情報をテレビ１１に対して送信する（S５１２）。テレビ１１は外部機器より映像情報を受信すると、映像送信部３５が映像情報の中の画像情報および音声情報を、表示制御部２０９および音声制御部２１１へとそれぞれ送信し、表示制御部２０９および音声制御部２１１はLCD２０８、スピーカ２１０から取得した画像情報および音声情報を出力する。
【００５２】
以上の処理によってテレビ１１は、ユーザが所定の放送波に対応するチャンネルを選択したとき、ユーザが関知せずに該所定の放送波の受信（復号処理）可能な外部機器より映像情報を取得し、表示を行うことが可能となり、ユーザはテレビ１１単独で視聴可能な放送波を視聴するときと同様に視聴不可能な放送波の視聴を行うことが可能となる。
【００５３】
図６は本実施形態における映像受信を行う外部機器の選択フローの一例を示すフロー図である。
【００５４】
テレビ１１単独では表示不可能な放送波に対応するチャンネルがユーザによって選択された場合、チャンネル認識部３４は切替テーブル３６に格納されている情報を参照して、該放送波の映像情報の受信を行うインターフェースの設定をおこなう。切替テーブル３６をメモリ２０２より読み出し、切替テーブル３６の列ごとに受信可能な映像情報の確認を行う。
【００５５】
チャンネル認識部３４は切替テーブル３６のナンバー1の列より確認を行うため、まず受信可能か否か確認を行う列をナンバー1の列に指定する（S６１）。次に指定された列のインターフェースから所定の放送波の映像情報の受信が可能か否かの確認をし（S６２）、受信可能でなければ（S６３、No）、確認を行う列のナンバーに１を足し（S６４）、S６２に戻る。S６３において指定されているナンバーのインターフェースから映像情報の受信が可能であれば（Yes）、受信を行うインターフェースを、そのインターフェースに設定する（S６５）。
【００５６】
以上のフローによって、映像情報の受信可能なインターフェースの設定をおこなうことが可能となり、所定の放送波の映像情報を受信することができる。
【００５７】
また、上記フローによって選択されたインターフェースに接続されているテレビ１１に対して該放送波を受信可能な外部機器が予約録画等によって映像情報の送信不可能となった場合は、外部機器はテレビ１１に対して映像情報の送信不可能であるという旨の通知を行う。テレビ１１が該通知を受けると、チャンネル認識部３４はその映像情報の受信可能な外部機器を再設定する。このとき、チャンネル認識部３４は現在設定をおこなっているインターフェースの列のナンバーに１を足したナンバーから受信可能か否かの確認を再度開始するようにしても良い。
【００５８】
チャンネル認識部３４は切替テーブル３６内に選択されたチャンネルに対応する放送波の映像情報の受信が可能なインターフェースが存在しなければ、映像情報送信部３５によって、LCD２０８に選択されたチャンネルの放送波は視聴できない旨の通知を表示させる。
【００５９】
本実施形態における映像表示システム１０ではテレビ１１が外部機器より受信可能な放送波の映像情報に関する情報が格納された切替テーブル３６を有しており、ユーザがテレビ１１単独では視聴不可能な放送波のチャンネルを選択するとき、切替テーブル３６を参照して映像情報の受信先を設定することでユーザは通常の放送波を視聴するときと同じ手順でテレビ１１単独では視聴不可能な放送波を視聴することが可能となる。
【００６０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６１】
１０：映像表示システム
１１：テレビ
１２：DVDレコーダ
１３：ケーブル受信テレビ
１４：HDDレコーダ
２０１：CPU
２０２：メモリ
２０３：入力部
２０４：チューナ
２０５：デコーダ
２０６：認証カード
２０７：認証カードI/F
２０８：LCD
２０９：表示制御部
２１０：スピーカ
２１１：音声制御部
２１２：HDMI I/F a
２１３：HDMI I/F b
２１４：HDMI I/F c
２１５：通信I/F
２１６：バス
３１：受信先切替アプリケーション
３２：通信部
３３：受信認識部
３４：チャンネル認識部
３５：映像送信部
３６：切替テーブル
【図１】
2010239578.tif 000003
【図２】
2010239578.tif 000004
【図３】
2010239578.tif 000005
【図４】
2010239578.tif 000006
【図５】
2010239578.tif 000007
【図６】
2010239578.tif 000008